(57)【要約】      （修正有）【課題】  ツイストドリルのバリ除去に関し、構造がシンプルで小径ドリルでも穴明けとバリ取りを連続して行うことの出来るバリ除去ドリルであり、穴加工後の引き戻しの際にバリを除去できるようにしたドリルを提供する。【解決手段】２つの切屑排出溝を有するツイストドリルにおいて、先端視における各々のドリル切れ刃の位置がドリル軸心に対して非対称であり、該切屑排出溝部の途中より、ドリル径より細くした略円筒部を設け、該略円筒部の少なくともドリル先端側の段差部にバリ取り用の切れ刃を設ける事により構成し、穴加工とバリ取り加工の切削回転中心を異ならせる。【選択図】図１
2005246577.tif 000002
【特許請求の範囲】
【請求項１】
２つの切屑排出溝を有するツイストドリルにおいて、先端視における各々のドリル切れ刃の位置がドリル軸心に対して非対称であり、該切屑排出溝部の途中より、ドリル径より細くした略円筒部を設け、該略円筒部の少なくともドリル先端側の段差部にバリ取り用の切れ刃を設けたことを特徴とするバリ除去ドリル。
【請求項２】
請求項１記載のバリ除去ドリルにおいて、先端視における各々のドリル切れ刃の外周コーナー部とドリル軸心を結んだ仮想線のなす角が１４５°以上１７５°以下であることを特徴とするバリ除去ドリル。
【請求項３】
請求項１又は２記載のバリ除去ドリルにおいて、該略円筒部の径がドリル直径の０．６倍以上０．９倍以下であることを特徴とするバリ除去ドリル。
【請求項４】
請求項１乃至３いずれかに記載のバリ除去ドリルにおいて、該バリ取り用の切れ刃をドリル先端側に向けて６０°以上１５０°以下に設けたことを特徴とするバリ除去ドリル。
【請求項５】
請求項１乃至４いずれかに記載のドリルにおいて、該ドリルの少なくとも切れ刃を有する部分にＴｉＮ、ＴｉＣＮ、ＴｉＡｌＮ等の硬質物質を１層又は複層形成させたことを特徴とするバリ除去ドリル。
【発明の詳細な説明】
【技術分野】
【０００１】
本発明は、金属及び非鉄金属の穴あけ加工時、非対称の先端切れ刃で構成されたドリルチゼル部を切削中心として貫通穴加工後、略円筒部が貫通部裏側に達するまで押しこまれた後、引き戻される際にドリル軸心で回転する段差部に設けたバリ取り用の切れ刃により、貫通穴周辺部に付着したバリを切削し、穴明けとバリ取りが連続して行われるバリ除去ドリルに関する。
【背景技術】
【０００２】
金属及び非鉄金属の穴あけ加工時の裏バリを防止する方法として、ドリル先端近傍のランド部にバネの弾性で出入りするバリ取り切れ刃を設け、穴加工後の引き戻しの際にバリを除去するよう工夫したドリルが用いられているが、構造が複雑なうえ小径のドリルでは製作が困難である。このような例として特許文献１がある。
【特許文献１】特開２００３−１２７０１７号公報
【発明の開示】
【発明が解決しようとする課題】
【０００３】
本願発明は、バリ除去に関し、構造がシンプルで小径ドリルでも穴明けとバリ取りを連続して行うことの出来るバリ除去ドリルであり、穴加工とバリ取り加工の切削回転中心を異ならせることで、穴加工後の引き戻しの際にバリを除去できるようにしたドリルを提供する。
【課題を解決するための手段】
【０００４】
本願発明は、２つの切屑排出溝を有するツイストドリルにおいて、先端視における各々のドリル切れ刃の位置がドリル軸心に対して非対称であり、該切屑排出溝部の途中より、ドリル径より細くした略円筒部を設け、該略円筒部の少なくともドリル先端側の段差部にバリ取り用の切れ刃を設けたことを特徴とするバリ除去ドリルであり、本発明を採用することによって、穴明け加工は両切れ刃で構成されるドリルチゼル部がドリルの切削中心となり、バリ取り加工用の切れ刃はドリル軸心を回転中心とするので、夫々の回転中心が相違することで、バリ取り用の切れ刃が裏バリのでている穴周辺部を倣い、引き戻しの際にバリが除去できる。
より詳細には、先端視における各々のドリル切れ刃の外周コーナー部とドリル軸心を結んだ仮想線のなす角が１４５°以上１７５°以下であり、該略円筒部の径がドリル直径の０．６倍以上０．９倍以下、該バリ取り用の切れ刃をドリル先端側に向けて６０°以上１５０°以下に設け、該ドリルの少なくとも切れ刃を有する部分にＴｉＮ、ＴｉＣＮ、ＴｉＡｌＮ等の硬質物質を１層又は複層形成させたことを特徴とするバリ除去ドリルであります。
【発明の効果】
【０００５】
本発明によって、貫通穴を加工する際に発生するバリを、穴明け加工時の引き戻しの際に連続して除去することができる。
【発明を実施するための最良の形態】
【０００６】
本発明のドリルは先端切れ刃が貫通した後も、溝部途中の先端ドリル径より細くした略円筒部の切れ刃側に設けたバリ取り用の切れ刃が裏バリのでている穴裏面に達するまで押し込んだ後、引き戻しの際に裏バリのでている穴周辺部をバリ取り用の切れ刃で倣わせながら切削を行い、裏バリの除去を行なう。この際バリ取り用の切れ刃で裏バリのでている穴周辺部を倣わせながら切削を行うには、ドリル先端切れ刃とバリ取り用切れ刃の回転中心を相違させないと、バリ取り用切れ刃が裏バリのでている穴周辺部に倣わない。回転中心を相違させるためドリル先端切れ刃をドリル軸心に対して非対称とし、ドリル先端視における各々のドリル切れ刃の外周コーナー部とドリル軸心を結んだ仮想線のなす角が１４５°以下では先端切れ刃の回転中心に対する心のズレが大きくなり、穴加工時に振動を伴い作業が不安定になり、１７５°以上では先端切れ刃の回転中心に対する心のズレが小さくて、引き戻しの際に裏バリのでている穴周辺部をバリ取り用の切れ刃で充分に倣わせることが出来ず、完全に裏バリを除去できない。よって各々のドリル切れ刃の外周コーナー部とドリル軸心を結んだ仮想線のなす角を１４５°以上１７５°以下とした。
該ドリルはバリ取り用の切れ刃を設けるため、溝部途中に先端ドリル径より細くした略円筒部を有しており、略円筒部の径がドリル直径の０．６倍以下ではドリル強度が低下し、穴加工時の安定性が損なわれる、またバリ取り切れ刃は裏バリの加工穴周辺部の盛り上がりの幅以上の切れ刃の長さが必要で、裏バリの加工穴周辺部の盛り上がりの幅は、ドリル直径の０．０３〜０．０５倍であるので、バリ取り切れ刃を設ける略円筒部径をドリル直径の０．９倍以下とした。
【０００７】
バリ取り用の切れ刃が裏バリのでている穴周辺部を倣い、引き戻しの際にバリを除去するが、ドリル溝部途中の略円筒部、ドリル先端側の段差部に設けたバリ取り切れ刃のテーパー角度が６０°以下ではバリ取り切れ刃が穴に滑り込み、充分に加工穴周辺に倣わずバリが完全に除去されない。１５０°以上では引き戻しの際にバリ取り切れ刃が穴に引っ掛かりバリ取り面を傷つけるので、バリ取り切れ刃のテーパー角度を６０°以上１５０°以下とした。また、略円筒部のドリル基端側の段差部に、略円筒部からドリル基端側に向けて、テーパー状の切れ刃を設けることで、穴入り口部の面取りを行なうことも出来る。
【実施例】
【０００８】
（実施例１）
本発明例１として、ＳＫＨ５１製、ＴｉＡｌＮ被膜、ドリル直径＝８．０ｍｍ、先端角＝１１８°、ドリル溝長＝９５ｍｍ、ドリル全長＝１５０ｍｍ、心厚＝１．４ｍｍ、捩角＝３０°、略円筒部径＝６．４ｍｍ、バリ取り用の切れ刃テーパー角度（α）＝１２０°、略円筒部位置＝ドリル先端より２０ｍｍ、略円筒部長さ＝１０ｍｍ、で先端視における各々のドリル切れ刃の外周コーナー部とドリル軸心を結んだ仮想線のなす角（β）を表１としたものを用い、各形状で１本の工具を用い、ボール盤を用いドライ雰囲気で回転数＝８２０ｍｉｎ−１、手送りで厚さ４．５ｍｍのＳＳ４００のプレートを各５穴加工し切削の安定性や、裏バリの除去状態を調査し状態を表１に併記す。
【０００９】
【表１】
2005246577.tif 000003
【００１０】
表１に示す通り、本発明の仕様範囲内の形状は、裏バリが完全に除去出来て安定した穴加工が行なえたが、仕様範囲外の形状は裏バリが完全に除去出来なかったり、切削の安定性が不安定であった。
【００１１】
（実施例２）
本発明例２として、前述の実施例１のドリルで、先端視における各々のドリル切れ刃の外周コーナー部とドリル軸心を結んだ仮想線のなす角（β）が１６０°で略円筒部径を表２としたものを用い、各形状で１本の工具を用い、実施例１と同様に穴明けし、切削の安定性や、裏バリの除去状態を調査し状態を表２に併記す。
【００１２】
【表２】
2005246577.tif 000004
【００１３】
表２に示す通り、本発明の仕様範囲内の形状は、裏バリが完全に除去出来て安定した穴加工が行なえたが、仕様範囲外の形状は裏バリが完全に除去出来なかったり、切削の安定性が不安定であった。
【００１４】
（実施例３）
本発明例３として、前述の実施例１、２のドリルで、先端視における各々のドリル切れ刃の外周コーナー部とドリル軸心を結んだ仮想線のなす角（β）が１６０°で略円筒部径（Ｄ）を６．０ｍｍで略円筒部のドリル先端側の段差部に、設けたバリ取り用切れ刃のテ゜ーパー角度（α）を表３としたものを用い、各形状で１本の工具を用い、実施例１、２と同様に穴明けし、裏バリの除去状態を調査し状態を表３に併記す。
【００１５】
【表３】
2005246577.tif 000005
【００１６】
表３に示す通り、本発明の仕様範囲内の形状は、裏バリが完全に除去出来て安定した穴加工が行なえたが、仕様範囲外の形状は裏バリが完全に除去出来なかったり、裏面に切削傷が生じた。
【図面の簡単な説明】
【００１７】
【図１】図１は、本発明の正面視図を示す。
【図２】図２は、本発明の軸端視図を示す
【符号の説明】
【００１８】
１：バリ取り用の切れ刃
２：略円筒部
３：略円筒部径（Ｄ）
４：バリ取り切れ刃のテーパー角度（α）
５：ドリル切れ刃の外周コーナー部
６：ドリル切れ刃の外周コーナー部とドリル軸心を結んだ仮想線のなす角（β）
７：チゼル部
８：チゼル部中心
９：ドリル回転中心
【図１】
2005246577.tif 000006
【図２】
2005246577.tif 000007